(57)【要約】【課題】  試験配線の変更を不要にすることを可能にする相切替器を提供する。【解決手段】  電力系統から各相の電圧をそれぞれ入力してこの電力系統の事故を検出するリレー盤１００と、各相の試験電圧を出力する電圧試験器２３０との間を接続する相切替器１であって、電圧試験器２３０の各相の試験電圧を入力するためにこの電圧試験器２３０を接続する第１の電圧接続部と、試験電圧を加えるためのリレー盤の電圧入力部を接続する第２の電圧接続部と、第１の電圧接続部からの試験電圧の相を切り替えて、第２の電圧接続部にそれぞれ加える電圧切替手段とを備える。【選択図】  図１
2007232554.tif 000002
【特許請求の範囲】
【請求項１】
電力系統から各相の電圧をそれぞれ入力してこの電力系統の事故を検出するリレー盤と、各相の試験電圧を出力する電圧試験器との間を接続する相切替器であって、
前記電圧試験器の各相の試験電圧を入力するために、この電圧試験器が接続される第１の電圧接続部と、
試験電圧を加えるための前記リレー盤の電圧入力部が接続される第２の電圧接続部と、
前記第１の電圧接続部からの試験電圧の相を切り替えて、前記第２の電圧接続部にそれぞれ加える電圧切替手段と、
を備えることを特徴とする相切替器。
【請求項２】
電力系統から各相の電流を入力してこの電力系統の事故を検出するリレー盤と、試験電流を出力する電流試験器との間を接続する相切替器であって、
前記電流試験器の各相の試験電流を入力するために、この電流試験器が接続される第１の電流接続部と、
各相の試験電流を入力するための前記リレー盤の電流入力部が接続される第２の電流接続部と、
前記第２の電流接続部の各相の１つを選択して、前記電流試験器からの試験電流を流すと共に残りの相を短絡する電流切替手段と、
を備えることを特徴とする相切替器。
【請求項３】
電力系統から各相の電圧をそれぞれ入力すると共に、前記電力系統から各相の電流を入力してこの電力系統の事故を検出するリレー盤を、各相の試験電圧を出力する電圧試験器に接続すると共に、試験電流を出力する電流試験器に接続する相切替器であって、
前記電圧試験器の各相の試験電圧を入力するために、この電圧試験器が接続される第１の電圧接続部と、
試験電圧を入力するための前記リレー盤の電圧入力部が接続される第２の電圧接続部と、
前記第１の電圧接続部からの試験電圧の相を切り替えて、前記第２の電圧接続部にそれぞれ加える電圧切替手段と、
前記電流試験器の各相の試験電流を入力するために、この電流試験器が接続される第１の電流接続部と、
各相の試験電流を入力するための前記リレー盤の電流入力部が接続される第２の電流接続部と、
前記第２の電流接続部の各相の１つを選択して、前記電流試験器からの試験電流を流すと共に残りの相を短絡する電流切替手段と、
を備えることを特徴とする相切替器。
【請求項４】
前記電圧切替手段は、相の切替途中で前記電圧試験器を開放した状態にすることと、Ｎ相の電圧は前記電圧試験器と前記リレー盤との間の電位の変動を防ぐため、常時接続状態とすることを特徴とする請求項１または３に記載の相切替器。
【請求項５】
前記電流切替手段は、相の切替途中で前記電流試験器を短絡した状態にすることを特徴とする請求項２または３に記載の相切替器。
【発明の詳細な説明】
【技術分野】
【０００１】
この発明は、リレー盤を試験する際に用いられる相切替器に関する。
【背景技術】
【０００２】
リレー盤は、電力を搬送する電力系統に設置された変流器からの２次電流や、計測用変圧器からの２次電圧により、この電力系統の異常を検出する。こうしたリレー盤には各種の試験が行われる。例えば図９に示すように、リレー盤１００がＲ相、Ｓ相、Ｔ相の電圧を入力する電圧入力部１０１と、Ｒ相、Ｓ相、Ｔ相の電流を入力するための電流入力部１０２と、波形観測用のオシロ出力部１０３と、リレー盤１００の動作などをモニタするモニタ部１０４とを備えるとき、リレー盤１００の試験は次のように行われる。
【０００３】
作業者は、入力される試験電圧の波形などを出力するオシロ出力部１０３をシンクロスコープ２１０に接続し、リレー盤１００の動作信号などを出力するモニタ部１０４をモニタユニット２２０に接続する。さらに、作業者は、Ｒ相、Ｓ相、Ｔ相の試験電圧を発生する電圧試験器２３０を、リレー盤１００の電圧入力部１０１のＲ端子、Ｓ端子、Ｔ端子に接続し、試験電流を発生する電流試験器２４０を、リレー盤１００の電流入力部１０２のＲ端子、Ｓ端子、Ｔ端子の１つに接続する。これらの接続の後、作業者は、電圧試験器２３０や電流試験器２４０を操作して、リレー盤１００に試験電圧や試験電流を入力し、その様子をモニタユニット２２０やシンクロスコープ２１０で観察してリレー盤１００の試験を行う（例えば、特許文献１参照）。
【特許文献１】特開２００１−２３１１５３
【発明の開示】
【発明が解決しようとする課題】
【０００４】
ところで、先に説明したリレー盤１００の試験には次の課題がある。作業者は試験に際して電圧試験器２３０や電流試験器２４０をリレー盤１００に接続するが、リレー盤１００が３相用であるので、電圧の相を切り替えて入れ替える際に、リレー盤１００の電圧入力部１０１のＲ端子、Ｓ端子、Ｔ端子に接続されているケーブルつまり試験配線を変更しなければならないという課題がある。また、リレー盤１００の電流入力部１０２のＲ端子、Ｓ端子、Ｔ端子に対しては、これらの１つに接続されている試験配線を別の端子に配線変更しなければならないという課題がある。また、試験配線を変更する際に誤配線が発生することもある。さらに、リレー盤１００には親側の装置と子側の装置とを備えるものがあり、相の切替がさらに煩雑になり、また、誤配線の可能性も高くなる。
【０００５】
この発明の目的は、前記の課題を解決し、試験配線の変更を不要にすることを可能にする相切替器を提供することにある。
【課題を解決するための手段】
【０００６】
前記課題を解決するために、請求項１の発明は、電力系統から各相の電圧をそれぞれ入力してこの電力系統の事故を検出するリレー盤と、各相の試験電圧を出力する電圧試験器との間を接続する相切替器であって、前記電圧試験器の各相の試験電圧を入力するために、この電圧試験器が接続される第１の電圧接続部と、試験電圧を加えるための前記リレー盤の電圧入力部が接続される第２の電圧接続部と、前記第１の電圧接続部からの試験電圧の相を切り替えて、前記第２の電圧接続部にそれぞれ加える電圧切替手段とを備えることを特徴とする相切替器である。
【０００７】
請求項１の発明では、電圧試験器の各相の試験電圧を入力するために、作業者が第１の電圧接続部に電圧試験器を接続し、また、試験電圧を加えるためのリレー盤の電圧入力部に第２の電圧接続部を接続する。この後、作業者による操作により、電圧切替手段は、第１の電圧接続部からの試験電圧の相を切り替えて入れ替え、第２の電圧接続部にそれぞれ加える。
【０００８】
請求項２の発明は、電力系統から各相の電流を入力してこの電力系統の事故を検出するリレー盤と、試験電流を出力する電流試験器との間を接続する相切替器であって、前記電流試験器の各相の試験電流を入力するために、この電流試験器が接続される第１の電流接続部と、各相の試験電流を入力するための前記リレー盤の電流入力部が接続される第２の電流接続部と、前記第２の電流接続部の各相の１つを選択して、前記電流試験器からの試験電流を流すと共に残りの相を短絡する電流切替手段とを備えることを特徴とする相切替器である。
【０００９】
請求項２の発明では、電流試験器の各相の試験電流を入力するために、作業者が第１の電流接続部に電流試験器を接続し、また、各相の試験電流を入力するためにリレー盤に備えられている電流入力部を、第２の電流接続部に接続する。この後、作業者による操作により、電流切替手段は、第２の電流接続部の各相の１つを選択して、電流試験器からの試験電流を流すと共に残りの相を短絡する。
【００１０】
請求項３の発明は、電力系統から各相の電圧をそれぞれ入力すると共に、前記電力系統から各相の電流を入力してこの電力系統の事故を検出するリレー盤を、各相の試験電圧を出力する電圧試験器に接続すると共に、試験電流を出力する電流試験器に接続する相切替器であって、前記電圧試験器の各相の試験電圧を入力するために、この電圧試験器が接続される第１の電圧接続部と、試験電圧を入力するための前記リレー盤の電圧入力部が接続される第２の電圧接続部と、前記第１の電圧接続部からの試験電圧の相を切り替えて、前記第２の電圧接続部にそれぞれ加える電圧切替手段と、前記電流試験器の各相の試験電流を入力するために、この電流試験器が接続される第１の電流接続部と、各相の試験電流を入力するための前記リレー盤の電流入力部が接続される第２の電流接続部と、前記第２の電流接続部の各相の１つを選択して、前記電流試験器からの試験電流を流すと共に残りの相を短絡する電流切替手段とを備えることを特徴とする相切替器である。
【００１１】
請求項４の発明は、請求項１または３に記載の相切替器において、前記電圧切替手段は、相の切替途中で前記電圧試験器を開放した状態にすることと、Ｎ相の電圧は前記電圧試験器と前記リレー盤との間の電位の変動を防ぐため、常時接続状態とすることを特徴とする。
【００１２】
請求項５の発明は、請求項２または３に記載の相切替器において、前記電流切替手段は、相の切替途中で前記電流試験器を短絡した状態にすることを特徴とする。
【発明の効果】
【００１３】
請求項１および請求項３の発明により、相切替器が各相の切替を行うので、リレー盤と相切替器との間を接続する試験配線や、相切替器と電圧試験器との間を接続する試験配線の変更を不要にすることができる。この結果、試験配線を変更する際の誤配線をなくし、また、親側の装置と子側の装置とを備えるリレー盤についても、相の切替を不要にし、誤配線をなくすことができる。
【００１４】
請求項２および請求項３の発明により、相切替器が電流試験器からの電流の切替を行うので、リレー盤と相切替器との間を接続する試験配線や、相切替器と電流試験器との間を接続する試験配線の変更を不要にすることができる。この結果、試験配線を変更する際の誤配線をなくし、また、親側の装置と子側の装置とを備えるリレー盤についても、電流の切替を不要にし、誤配線をなくすことができる。さらに、残りの相を短絡するので、高圧の発生を防ぐことができる。
【００１５】
請求項４の発明により、相の切替途中で電圧切替手段が電圧試験器を開放した状態にするので、電圧試験器から試験電圧を出力した状態で、各相を切り替えることを可能にする。
【００１６】
請求項５の発明により、電流の切替途中で電流切替手段が電流試験器を短絡した状態にするので、電流試験器から試験電流を出力した状態で、相切替器の各相に入力する電流を切り替えることを可能にする。
【発明を実施するための最良の形態】
【００１７】
次に、この発明の実施の形態について、図面を用いて詳しく説明する。図１は、この実施の形態による相切替器１の使用状態を示す接続図である。なお、この実施の形態では、先に説明した図９と同一または同一と見なされる構成要素にはそれと同じ参照符号を付けて、その説明を省略する。この実施の形態による相切替器１は、図２に示すように、電圧試験器２３０の親側を接続するための「親（入力）」の「Ｒ」、「Ｓ」、「Ｔ」、および「Ｎ」の端子と、電圧試験器２３０の子側を接続するための「子（入力）」の「Ｒ」、「Ｓ」、および「Ｔ」の端子と、電流試験器２４０を接続するための「±」および「Ａ」の端子とを備えている。以下では、「Ｒ」の端子をＲ端子と記し、他の端子も同様に記す。なお、図２は、相切替器１を収納する収納箱の操作パネルを示す図である。この実施の形態では、電圧試験器２３０の親側を接続するための「親（入力）」の「Ｒ」、「Ｓ」、「Ｔ」、「Ｎ」の端子と、電圧試験器２３０の子側を接続するための「子（入力）」の「Ｒ」、「Ｓ」、「Ｔ」の端子とが第１の電圧接続部であり、電流試験器２４０を接続するための「±」の端子、「Ａ」の端子とが第１の電流接続部である。
【００１８】
また、相切替器１は、電圧切替用のカムスイッチ１１と電流切替用のカムスイッチ１２とを備え、カムスイッチ１１は、ハンドル１１Ａで４５度毎に回転し、「切」、「Ｒ」、「Ｓ」、「Ｔ」の各位置で開路または閉路を形成する。カムスイッチ１２はハンドル１２Ａで４５度毎に回転し、「切」、「ＲＮ」、「ＳＮ」、「ＴＮ」、「切」、「ＲＳ」、「ＳＴ」、「ＴＲ」の各位置で開路または閉路を形成する。
【００１９】
相切替器１は、リレー盤１００のモニタ部１０４からの信号を入力するためのケーブルであるケーブル３０１を接続するコネクタ２１を備えている。コネクタ２１は「１」の端子、「２」の端子、「３」の端子、「Ｎ」の端子を備えている。以下では、「１」の端子を１端子と記し、コネクタ２１および別のコネクタの他の端子も同様に記す。また、相切替器１は、リレー盤１００の電圧入力部１０１の親側に信号を出力するためのケーブルであるケーブル３０２を接続するコネクタ２２を備えている。コネクタ２２はＲ端子、Ｓ端子、Ｔ端子、Ｎ端子を備えている。また、相切替器１は、リレー盤１００の電圧入力部１０１の子側に信号を出力するためのケーブルであるケーブル３０３を接続するコネクタ２３を備えている。コネクタ２３はＲ端子、Ｓ端子、Ｔ端子を備えている。また、相切替器１は、リレー盤１００の電流入力部１０２に信号を出力するためのケーブルであるケーブル３０４を接続するコネクタ２４を備えている。コネクタ２４はＲ端子、Ｓ端子、Ｔ端子、Ｎ端子を備えている。この実施の形態では、コネクタ２２とコネクタ２３とが第２の電圧接続部を形成し、コネクタ２４が第２の電流接続部を形成する。さらに、相切替器１は、シンクロスコープ２１０に信号を出力するためのケーブルであるケーブル３０５を接続するコネクタ２５を備えている。コネクタ２５はＲｙ端子、Ｎ端子を備えている。
【００２０】
次に、カムスイッチ１１およびカムスイッチ１２について説明する。まず、カムスイッチ１１の構造を図３に示す。カムスイッチ１１では、図３の紙面横方向の数字「７」、「８」、「１」、「２」がノッチの位置を表す。以下では、「７」のノッチを７ノッチと記し、他のノッチも同様に記す。７ノッチが図２のハンドル１１Ａの「切」の位置、８ノッチが「Ｒ」の位置、１ノッチが「Ｓ」の位置、２ノッチが「Ｔ」の位置である。図３の紙面縦方向の数字「１１」、「１３」、「２１」、「２３」、「３１」、「３３」、「４１」、「４３」、「５１」が親側の入力端子であり、「５３」、「６１」、「６３」、「７１」、「７３」、「８１」、「８３」、「９１」、「９３」が子側の入力端子である。また、図３の紙面縦方向の数字「１２」、「１４」、「２２」、「２４」、「３２」、「３４」、「４２」、「４４」、「５２」が親側の出力端子であり、「５４」、「６２」、「６４」、「７２」、「７４」、「８２」、「８４」、「９２」、「９４」が子側の出力端子である。以下では、「１１」の端子を１１端子と記し、他の端子も同様に記す。また、親側および子側の入力端子と、親側および子側の出力端子と一対をなす端子、つまり、１１端子と１２端子、…、９３端子と９４端子はカムスイッチ１１のハンドル１１Ａの回転軸の回転方向に沿うように配置され、親側の１１端子、…、９３端子、および、子側の１２端子、…、９４端子はハンドル１１Ａの回転軸の軸方向に沿って配置されている。例えば１１端子と１２端子とがハンドル１１Ａの回転軸の回転方向に沿うように配置され、１対の１１端子および１２端子に対して、次の１対の１３端子および１４端子が積層されて、かつ、ハンドル１１Ａの回転軸の軸方向に配置されている。
【００２１】
カムスイッチ１１に対する接続は次のとおりである。親側の入力では、１１端子が１３端子と２１端子とに接続され、２３端子が３１端子と３３端子とに接続され、４１端子が４３端子と５１端子とに接続されている。また、親側の出力では、１２端子が３４端子に接続され、３４端子が４４端子に接続されている。１４端子が２４端子に接続され、２４端子が５２端子に接続されている。２２端子が３２端子に接続され、３２端子が４２端子に接続されている。なお、Ｎ端子は中性相用の端子である。子側の入力では、５３端子が６１端子と６３端子とに接続され、７１端子が７３端子と８１端子とに接続され、８３端子が９１端子と９３端子とに接続されている。また、子側の出力では、５４端子が８２端子に接続され、８２端子が９２端子に接続されている。６２端子が７２端子に接続され、７２端子が９４端子に接続されている。６４端子が７４端子に接続され、７４端子が８４端子に接続されている。
【００２２】
親側の入力では、２１端子、３１端子、５１端子、Ｎ端子が図２の「親（入力）」のＲ端子、Ｓ端子、Ｔ端子、Ｎ端子にそれぞれ接続されている。また、親側の出力では、１２端子、１４端子、２２端子、Ｎ端子が図２のコネクタ２２のＲ端子、Ｓ端子、Ｔ端子、Ｎ端子にそれぞれ接続されている。子側の入力では、６１端子、８１端子、９１端子が図２の「子（入力）」のＲ端子、Ｓ端子、Ｔ端子にそれぞれ接続されている。また、子側の出力では、５４端子、６２端子、６４端子が図２のコネクタ２３のＲ端子、Ｓ端子、Ｔ端子にそれぞれ接続されている。
【００２３】
次に、カムスイッチ１１の動作について、相切替器１の試験電圧の切替動作と共に説明する。
【００２４】
カムスイッチ１１では、ハンドル１１Ａが「切」の位置のとき、図３の１１端子と１２端子との間、…、５１端子と５２端子との間、および、５３端子と５４端子との間、…、９３端子と９４端子との間はすべて接点が開路状態であり、電圧試験器２３０の親側および子側からの試験電圧が相切替器１からリレー盤１００の電圧入力部１０１に出力されない。
【００２５】
ハンドル１１Ａが「Ｒ」の位置のとき、図３中の黒丸印が接点の閉路位置を示す。つまり、親側では、１１端子と１２端子との間、２３端子と２４端子との間、４１端子と４２端子との間はすべて閉路状態である。これにより、電圧試験器２３０の親側からのＲ相の試験電圧は、「親（入力）」のＲ端子から２１端子、１１端子、１２端子を経て、コネクタ２２のＲ端子からリレー盤１００の電圧入力部１０１に加えられる。また、電圧試験器２３０の親側からのＳ相の試験電圧は、「親（入力）」のＳ端子から３１端子、２３端子、２４端子、１４端子を経て、コネクタ２２のＳ端子からリレー盤１００の電圧入力部１０１に加えられる。さらに、電圧試験器２３０の親側からのＴ相の試験電圧は、「親（入力）」のＴ端子から５１端子、４１端子、４２端子、３２端子、２２端子を経て、コネクタ２２のＴ端子からリレー盤１００の電圧入力部１０１に加えられる。
【００２６】
ハンドル１１Ａが「Ｒ」の位置のときに子側では、５３端子と５４端子との間、７１端子と７２端子との間、８３端子と８４端子との間はすべて閉路状態である。そして、子側でも親側と同様にして、電圧試験器２３０からのＲ相、Ｓ相、Ｔ相の試験電圧がコネクタ２３のＲ端子、Ｓ端子、Ｔ端子を経てリレー盤１００の電圧入力部１０１に加えられる。
【００２７】
ハンドル１１Ａが「Ｓ」の位置のときに親側では、１３端子と１４端子との間、３１端子と３２端子との間、４３端子と４４端子との間はすべて閉路状態である。これにより、電圧試験器２３０の親側からのＲ相の試験電圧は、「親（入力）」のＲ端子から２１端子、１１端子、１３端子、１４端子を経てコネクタ２２のＳ端子からリレー盤１００の電圧入力部１０１に加えられる。また、電圧試験器２３０の親側からのＳ相の試験電圧は、３１端子、３２端子、２２端子を経てコネクタ２２のＴ端子からリレー盤１００の電圧入力部１０１に加えられる。さらに、電圧試験器２３０の親側からのＴ相の試験電圧は、５１端子、４１端子、４３端子、４４端子、３４端子、１２端子を経てコネクタ２２のＲ端子からリレー盤１００の電圧入力部１０１に加えられる。
【００２８】
ハンドル１１Ａが「Ｓ」の位置のときに子側では、６１端子と６２端子との間、７３端子と７４端子との間、９１端子と９２端子との間はすべて閉路状態である。そして、子側でも親側と同様にして、電圧試験器２３０からのＲ相、Ｓ相、Ｔ相の試験電圧がコネクタ２３のＳ端子、Ｔ端子、Ｒ端子を経てリレー盤１００の電圧入力部１０１に加えられる。
【００２９】
ハンドル１１Ａが「Ｔ」の位置のときに親側では、２１端子と２２端子との間、３３端子と３４端子との間、５１端子と５２端子との間はすべて閉路状態である。これにより、電圧試験器２３０の親側からのＲ相の試験電圧は、２１端子、２２端子を経てコネクタ２２のＴ端子からリレー盤１００の電圧入力部１０１に加えられる。また、電圧試験器２３０の親側からのＳ相の試験電圧は、３１端子、２３端子、３３端子、３４端子、１２端子を経てコネクタ２２のＲ端子からリレー盤１００の電圧入力部１０１に加えられる。さらに、電圧試験器２３０の親側からのＴ相の試験電圧は、５１端子、５２端子、２４端子、１４端子を経てコネクタ２２のＳ端子からリレー盤１００の電圧入力部１０１に加えられる。
【００３０】
ハンドル１１Ａが「Ｔ」の位置のときに子側では、６３端子と６４端子との間、８１端子と８２端子との間、９３端子と９４端子との間はすべて閉路状態である。そして、子側でも親側と同様にして、電圧試験器２３０からのＲ相、Ｓ相、Ｔ相の試験電圧がコネクタ２３のＴ端子、Ｒ端子、Ｓ端子を経てリレー盤１００の電圧入力部１０１に加えられる。
【００３１】
こうして、カムスイッチ１１により、図２の「親（入力）」のＲ端子、Ｓ端子、Ｔ端子、および、「子（入力）」のＲ端子、Ｓ端子、Ｔ端子に入力された試験電圧は、図４に示すように、ハンドル１１Ａの「切」、「Ｒ」、「Ｓ」、「Ｔ」の位置に応じて、図２の「親（出力）」のコネクタ２２、および、「子（出力）」のコネクタ２３の端子にそれぞれ接続される。つまり、電圧試験器２３０からのＲ相、Ｓ相、Ｔ相の試験電圧は相切替が行われて入れ替えられ、リレー盤１００の電圧入力部１０１に加えられる。また、親側の入力と出力との間では、Ｎ端子間が直接に接続され、Ｎ相の電圧が常時接続の状態になっている。これは、電圧試験器２３０とリレー盤１００との間の電位の変動を防ぐための接続である。
【００３２】
次に、カムスイッチ１２について説明する。カムスイッチ１２の構造を図５に示す。カムスイッチ１２では、図５の紙面横方向の数字「７」、「８」、「１」、「２」、「３」、「４」、「５」、「６」がノッチの位置を表す。以下では、「７」のノッチを７ノッチと記し、他のノッチも同様に記す。７ノッチが図２のハンドル１２Ａの「切」の位置、８ノッチが「ＲＮ」の位置、１ノッチが「ＳＮ」の位置、２ノッチが「ＴＮ」の位置であり、３ノッチが「切」の位置、４ノッチが「ＲＳ」の位置、５ノッチが「ＳＴ」の位置、６ノッチが「ＴＲ」の位置である。図５の紙面縦方向の数字「１１」、「１３」、「２１」、「２３」、「３１」、「３３」、「４１」、「４３」、「５１」、「５３」、「６１」、「６３」、「７１」、「７３」、「８１」、「８３」、「９１」、「９３」、「１０１」、「１０３」が入力端子であり、図５の紙面縦方向の数字「１２」、「１４」、「２２」、「２４」、「３２」、「３４」、「４２」、「４４」、「５２」、「５４」、「６２」、「６４」、「７２」、「７４」、「８２」、「８４」、「９２」、「９４」、「１０２」、「１０４」が出力端子である。以下では、「１１」の端子を１１端子と記し、他の端子も同様に記す。また、親側および子側の入力端子と、親側および子側の出力端子と一対をなす端子、つまり、１１端子と１２端子、…、１０３端子と１０４端子はカムスイッチ１１のハンドル１２Ａの回転軸の回転方向に沿うように配置され、親側の１１端子、…、１０３端子、および、子側の１２端子、…、１０４端子はハンドル１２Ａの回転軸の軸方向に沿って配置されている。例えば１１端子と１２端子とがハンドル１２Ａの回転軸の回転方向に沿うように配置され、１対の１１端子および１２端子に対して、次の１対の１３端子および１４端子が積層されて、かつ、ハンドル１２Ａの回転軸の軸方向に配置されている。
【００３３】
カムスイッチ１２に対する接続は次のとおりである。入力側では、１１端子が２１端子と７３端子とに接続され、２１端子が３１端子に接続されている。４１端子が４３端子と５１端子とに接続され、５１端子が５３端子と６１端子とに接続され、６１端子が６３端子と７１端子とに接続されている。また、出力側では、１２端子が６２端子に接続されている。２２端子が４２端子に接続されている。３２端子が５２端子に接続されている。４４端子が５４端子に接続され、５４端子が６４端子に接続されている。７２端子が７４端子に接続されている。８２端子が９２端子に接続され、９２端子が１０２端子に接続されている。なお、Ｎ端子は中性相用の端子である。
【００３４】
入力側では、１１端子、４１端子が図２の±端子、Ａ端子にそれぞれ接続されている。８１端子、９１端子、１０１端子、Ｎ端子が図２のコネクタ２１の１端子、２端子、３端子、Ｎ端子にそれぞれ接続されている。また、出力側では、１２端子、２２端子、３２端子、４４端子がコネクタ２４のＲ端子、Ｓ端子、Ｔ端子、Ｎ端子にそれぞれ接続され、８２端子、Ｎ端子がコネクタ２５のＲｙ端子、Ｎ端子にそれぞれ接続されている。
【００３５】
次に、カムスイッチ１２の動作について、相切替器１の試験電流、および、リレー盤１００のオシロ出力の切替動作と共に説明する。
【００３６】
カムスイッチ１２の入力側では、１１端子〜７３端子および出力側の１２端子〜７４端子が電流試験器２４０からの試験電流の切替用であり、入力側の８１端子〜１０３端子および出力側の８２端子〜１０４端子がリレー盤１００のオシロ出力部１０３からのオシロ出力の切替用である。まず、試験電流の切替について説明する。ハンドル１２Ａが「切」の位置のとき、１１端子と１２端子との間、…、６３端子と６４端子との間はすべて開路状態であり、電流試験器２４０からの試験電流が相切替器１からリレー盤１００の電流入力部１０２に流れない。また、ハンドル１２Ａが「切」の位置であると、７１端子と７２端子との間、７３端子と７４端子との間が閉路状態になる。図５中の黒丸印が接点の閉路位置を示し、太線がオーバーラップを示すが、オーバーラップについては後述する。この閉路状態により、相切替器１の±端子は、１１端子、７３端子、７４端子、７２端子、７１端子、６１端子、５１端子、４１端子を経て、相切替器１の「Ａ」端子に接続される。つまり、ハンドル１２Ａが「切」の位置では、相切替器１は電流試験器２４０を短絡状態にしている。
【００３７】
ハンドル１２Ａが「ＲＮ」の位置のとき、接点Ａ１１により１１端子と１２端子との間、接点Ａ４３により４３端子と４４端子との間が閉路状態になる。これにより、電流試験器２４０から相切替器１の±端子に流れる試験電流は、１１端子、１２端子を経て、コネクタ２４のＲ端子からリレー盤１００の電流入力部１０２のＲ端子に流れる。そして、電流入力部１０２からの電流は、コネクタ２４のＮ端子、４４端子、４３端子、４１端子を経て、相切替器１の「Ａ」の端子から電流試験器２４０に戻る。つまり、電流試験器２４０からの試験電流がリレー盤１００の電流入力部１０２のＲ端子に流れる。
【００３８】
ノッチが「ＲＮ」の位置から「ＳＮ」の位置に切り替えられる場合、ハンドル１２Ａが「ＲＮ」と「ＳＮ」との間にあるとき、閉路状態がオーバーラップをする。図６に示すように、ハンドル１２Ａが「ＲＮ」と「ＳＮ」との間にあるとき、カムスイッチ１２の接点Ａ１１と接点Ａ２１とが閉路状態になる。これにより、ハンドル１２Ａが「ＲＮ」と「ＳＮ」との間にあるとき、１１端子と１２端子との間、および、２１端子と２２端子との間は同時に閉路状態になり、電流が流れる流路が同時に２つ形成される。この後、ハンドル１２Ａが「ＳＮ」の位置になると、１１端子と１２端子との間が開路状態となり、２１端子と２２端子との間が閉路状態を保つ。つまり、ハンドル１２Ａを「ＲＮ」から「ＳＮ」の位置に切り替えるときに、相切替器１のカムスイッチ１２は電流試験器２４０を常時短絡状態にしている。カムスイッチ１２のオーバーラップにより、このオーバーラップを示す太線が互いに重なり合う接点を示す。つまり、図６では接点Ａ１１と接点Ａ２１の閉路状態が重なり合う。先に記載を省略した７１端子と７２端子、７３端子と７４端子との間も同様である。つまり、ノッチが「切」の位置から「ＲＮ」の位置に切り替えられる場合、接点Ａ７１および接点Ａ７３と、接点Ａ１１および接点Ａ４３とがオーバーラップをして、相切替器１のカムスイッチ１２は電流試験器２４０を常に短絡状態にしている。
【００３９】
ハンドル１２Ａが「ＳＮ」の位置のとき、接点Ａ２１により２１端子と２２端子との間、接点Ａ５３により５３端子と５４端子との間が閉路状態になる。これにより、電流試験器２４０から相切替器１の±端子に流れる試験電流は、１１端子、２１端子、２２端子を経て、図２のコネクタ２４のＳ端子からリレー盤１００の電流入力部１０２のＳ端子に流れる。そして、電流入力部１０２からの電流は、コネクタ２４のＮ端子、４４端子、５４端子、５３端子、５１端子、４１端子を経て、相切替器１の「Ａ」端子から電流試験器２４０に戻る。つまり、電流試験器２４０からの試験電流がリレー盤１００の電流入力部１０２のＳ端子に流れる。
【００４０】
ハンドル１２Ａが「ＳＮ」の位置から「ＴＮ」の位置に切り替えられる場合に、ハンドル１２Ａが「ＳＮ」と「ＴＮ」との間にあるとき、接点Ａ２１および接点Ａ５３と、接点Ａ３１および接点Ａ６３とがオーバーラップをして、相切替器１のカムスイッチ１２は電流試験器２４０を短絡状態にしている。ハンドル１２Ａが「ＴＮ」の位置のとき、接点Ａ３１により３１端子と３２端子との間、および、接点Ａ６３により６３端子と６４端子との間が閉路状態になる。これにより、電流試験器２４０から相切替器１の±端子に流れる試験電流は、１１端子、２１端子、３１端子、３２端子を経て、図２のコネクタ２４のＴ端子からリレー盤１００の電流入力部１０２のＴ端子に流れる。そして、電流入力部１０２からの電流は、コネクタ２４のＮ端子、４４端子、５４端子、６４端子、６３端子、６１端子、５１端子、４１端子を経て、相切替器１の「Ａ」端子から電流試験器２４０に戻る。つまり、電流試験器２４０からの試験電流がリレー盤１００の電流入力部１０２のＴ端子に流れる。
【００４１】
ハンドル１２Ａが「ＴＮ」の位置から「切」の位置に切り替えられる場合に、ハンドル１２Ａが「ＴＮ」と「切」との間にあるとき、接点Ａ３１および接点Ａ６３と、接点Ｂ７１および接点Ｂ７３とがオーバーラップをして、相切替器１のカムスイッチ１２は電流試験器２４０を短絡状態にしている。この後ハンドル１２Ａを「切」の位置にすると、先と同様に、相切替器１は電流試験器２４０を短絡状態にしている。この後、ハンドル１２Ａを「ＲＳ」、「ＳＴ］、「ＴＲ」に切り替えると、先に説明した「ＲＮ」、「ＳＮ」、「ＴＮ」の位置と同様の切替が行われるので説明を省略する。
【００４２】
次に、入力側の８１端子〜１０３端子および出力側の８２端子〜１０４端子によるオシロ出力の切り替えについて説明する。ハンドル１２Ａが「切」の位置のとき、カムスイッチ１２の８１端子と８２端子との間、９１端子と９２端子との間、１０１端子と１０２端子との間がすべて開路状態である。これにより、リレー盤１００のオシロ出力部１０３からのオシロ出力がシンクロスコープ２１０に加えられない。ハンドル１２Ａが「ＲＮ」の位置のとき、カムスイッチ１２の８１端子と８２端子との間が閉路状態になる。これにより、リレー盤１００のオシロ出力部１０３から相切替器１のコネクタ２１の１端子に加えられるオシロ出力が８１端子、８２端子を経て、コネクタ２５のＲｙ端子からシンクロスコープ２１０に加えられる。ハンドル１２Ａが「ＳＮ」の位置のとき、カムスイッチ１２の９１端子と９２端子との間が閉路状態になる。これにより、リレー盤１００のオシロ出力部１０３から相切替器１のコネクタ２１の２端子に加えられるオシロ出力が９１端子、９２端子、８２端子を経て、コネクタ２５のＲｙ端子からシンクロスコープ２１０に加えられる。ハンドル１２Ａが「ＴＮ」の位置のとき、カムスイッチ１２の１０１端子と１０２端子との間が閉路状態になる。これにより、リレー盤１００のオシロ出力部１０３から相切替器１のコネクタ２１の３端子に加えられるオシロ出力が１０１端子、１０２端子、９２端子、８２端子を経て、コネクタ２５のＲｙ端子からシンクロスコープ２１０に加えられる。この後、ハンドル１２Ａを「ＲＳ」、「ＳＴ］、「ＴＲ」に切り替えると、先に説明した「ＲＮ」、「ＳＮ」、「ＴＮ」の位置と同様の切替が行われるので説明を省略する。なお、図２のコネクタ２１の１端子、２端子、３端子に加えられるオシロ出力は、リレー盤１００のＲ相、Ｓ相、Ｔ相の切替動作等を示す波形である。
【００４３】
こうして、カムスイッチ１２により、図２の±端子、Ａ端子は、図７に示すように、ハンドル１２Ａの「切」の位置、「ＲＮ」または「ＲＳ」の位置、「ＳＮ」または「ＳＴ］の位置、「ＴＮ」または「ＴＲ」の位置に応じて３相交流の相切替を行い、図２のコネクタ２４の端子にそれぞれ接続される。
【００４４】
また、カムスイッチ１２により、図２のコネクタ２１の１端子、２端子、３端子は、図８に示すように、ハンドル１２Ａの「切」の位置、「ＲＮ」または「ＲＳ」の位置、「ＳＮ」または「ＳＴ］の位置、「ＴＮ」または「ＴＲ」の位置に応じて、図２の「（出力）」のコネクタ２４のＲｙ端子にそれぞれ接続される。
【００４５】
こうして、この実施の形態により、電圧試験器２３０および電流試験器２４０と、相切替器１とを接続する試験配線や、相切替器１とリレー盤１００とを接続する試験配線であるケーブル３０２、ケーブル３０３、およびケーブル３０４の配線変更、さらには、リレー盤１００と相切替器１とを接続する試験配線であるケーブル３０１やケーブル３０５の配線変更を不要にすることができる。また、カムスイッチ１２はオーバーラップする接点を備えているので、電流試験器２４０からの出力を常時短絡し、電流試験器２４０が試験電流を出力した状態で電流の切替つまり相切替が可能である。さらに、カムスイッチ１１はオーバーラップする接点を備えていないので、電圧試験器２３０からの出力を常時開放し、電圧試験器２３０が試験電圧を出力した状態でＲ相、Ｓ相、Ｔ相の相切替による相の入替が可能である。
【００４６】
以上、この発明の実施の形態を詳述してきたが、具体的な構成はこの実施の形態に限られるものではなく、この発明の要旨を逸脱しない範囲の設計の変更等があっても、この発明に含まれる。例えば、前述の実施の形態では、電圧切替用のカムスイッチ１１と、電流切替用のカムスイッチ１２とを備える構成であったが、どちらか一方を備える構成であってもよい。この場合には、電力系統の電圧を検出するリレー盤または電力系統の電流を検出するリレー盤の試験が可能であり、相切替器の構造も簡略化される。
【図面の簡単な説明】
【００４７】
【図１】この発明の実施の形態による相切替器の使用状態を示す接続図である。
【図２】相切替器の操作パネルを示す図である。
【図３】電圧用のカムスイッチの回路構成を示す構成図である。
【図４】カムスイッチによる接続を示す図である。
【図５】電流用のカムスイッチの回路構成を示す構成図である。
【図６】カムスイッチのオーバーラップを説明する説明図である。
【図７】カムスイッチによる接続を示す図である。
【図８】カムスイッチによる接続を示す図である。
【図９】リレー盤の従来の測定を示す接続図である。
【符号の説明】
【００４８】
１  相切替器
１１  カムスイッチ（電圧切替手段）
１２  カムスイッチ（電流切替手段）
１１Ａ、１２Ａ  ハンドル
２１、２５  コネクタ
２２、２３  コネクタ（第２の電圧接続部）
２４  コネクタ（第２の電流接続部）
１００  リレー盤
２１０  シンクロスコープ
２２０  モニタユニット
２３０  電圧試験器
２４０  電流試験器
３０１〜３０５  ケーブル
【図１】
2007232554.tif 000003
【図２】
2007232554.tif 000004
【図３】
2007232554.tif 000005
【図４】
2007232554.tif 000006
【図５】
2007232554.tif 000007
【図６】
2007232554.tif 000008
【図７】
2007232554.tif 000009
【図８】
2007232554.tif 000010
【図９】
2007232554.tif 000011